(57)【要約】【課題】ホルダーの外側両面が突出することがなく、ＣＤとＦＤのように形状や大きさの異なるディスクを落下しないように収納することができるホルダーを提供する。【解決手段】二つ折りにしたシート１の下端であるシート下端４をシールしてなるホルダーであって、該ホルダーの内側にディスク保持シート２を設けると共に、該ディスク保持シート２にディスク押え片３を設けたホルダー。【選択図】          図１
2004168358.tif 000002
【特許請求の範囲】
【請求項１】
二つ折りにしたシートの下端をシールしてなるホルダーであって、該ホルダーの内側にディスク保持シートを設けると共に、該ディスク保持シートにディスク押え片を設けたホルダー。
【請求項２】
前記ディスク保持シートを前記シートの下端を除く一端に連設し、このディスク保持シートをシート端でホルダーの内側に折り曲げた請求項１に記載のホルダー。
【請求項３】
前記ディスク保持シートに折曲線を介して前記ディスク押え片を連設した請求項１又は２に記載のホルダー。
【請求項４】
前記ディスク保持シートの下端の一部又は全部を前記シートの下端と共にシールした請求項１乃至３のいずれかに記載のホルダー。
【請求項５】
前記折曲線をシートの下端に対して斜め方向に設けた請求項１乃至４のいずれかに記載のホルダー。
【請求項６】
前記折曲線の中央部にスリットを設けた請求項１乃至５のいずれかに記載のホルダー。
【請求項７】
前記ディスク押え片に円弧状又はコ字状の切込みで縁取られた係止片を設けた請求項１乃至６のいずれかに記載のホルダー。
【請求項８】
前記シートに綴じ孔を設けた請求項１乃至７のいずれかに記載のホルダー。
【発明の詳細な説明】
【０００１】
【発明の属する技術分野】
本発明は、ＣＤ（Ｃｏｍｐａｃｔ  Ｄｉｓｃ）、ＦＤ（ｆｌｏｐｐｙ  ｄｉｓｋ）等のディスクを収納するホルダーに関する。
【０００２】
【従来の技術】
従来、二つ折りにしたシートの下端をシールしてなるホルダーであって、ホルダーの表面に上端が開口されディスクを収納するためのポケット部を設けると共に、ポケット部にはディスクの中央の孔に挿入することによってディスクの落下を防止する落下防止片を形成し、説明書・パンフレット等のディスクの付属物をディスクと一緒に収納するようにしたホルダーは知られている（例えば、特許文献１参照）。
【０００３】
【特許文献１】
登録実用新案第３０７４４０４号公報
【０００４】
【発明が解決しようとする課題】
しかし、従来のホルダーは、落下防止片をＣＤやＤＶＤ（Ｄｉｇｉｔａｌ  Ｖｅｒｓａｔｉｌｅ  Ｄｉｓｋ）の中央の孔に挿入することによって、ディスクの落下を防止しているため、３．５インチＦＤやＭＯ（Ｍａｇｎｅｔｏ  Ｏｐｔｉｃａｌ  ｄｉｓｋ）のように中央に孔が存在しないディスクの落下を防止することができないという課題があった。
また、従来のホルダーは、ホルダーの表面にポケット部を設けているために、ポケットのシール部に凹凸が生じるのみならず、ポケット部にディスクを収納するとホルダーの表面から突出して、ホルダーを重ねて保管する際にポケット部が引っ掛かるという課題があった。
【０００５】
そこで、本発明は、ホルダーの外側両面が突出することがなく、ＣＤとＦＤのように形状や大きさの異なるディスクを落下しないように収納することができるホルダーを提供するものである。
【０００６】
【課題を解決するための手段】
本発明は、上記課題を解決するために、二つ折りにしたシートの下端をシールしてなるホルダーであって、該ホルダーの内側にディスク保持シートを設けると共に、該ディスク保持シートにディスク押え片を設けたホルダーを提供するものである。
本発明によれば、ホルダーの内側にディスクを収納するから、ホルダーの外側両面が突出することがなく引っ掛からないと共に、ディスク保持シートとディスク押え片によってディスクが落下しないように収納することができる。
【０００７】
また、本発明は、前記ディスク保持シートを前記シートの下端を除く一端に連設し、このディスク保持シートをシート端でホルダーの内側に折り曲げた請求項１に記載のホルダーを提供するものである。
本発明によれば、ディスク保持シートを前記シートに接着しないで設けることができるからホルダーの外側両面に接着による凹凸が生じないと共に、ディスク保持シートを折り曲げた部分とディスク押え片によってディスクを押えて収納することができる。
【０００８】
また、本発明は、前記ディスク保持シートに折曲線を介して前記ディスク押え片を連設した請求項１又は２に記載のホルダーを提供するものである。
本発明によれば、折曲線でディスク押え片を折り曲げるというワンタッチ操作によりディスクを収納することができる。
【０００９】
また、本発明は、前記ディスク保持シートの下端の一部又は全部を前記シートの下端と共にシールした請求項１乃至３のいずれかに記載のホルダーを提供するものである。
本発明によれば、ディスク保持シートを前記シートの下端に固定してホルダー内でのディスク保持シートの移動を防ぐことができ、ディスクの出し入れを容易且つスムースに行うことができると共に、前記シートの下端とディスク押え片によってディスクを押えて収納することができる。
【００１０】
また、本発明は、前記折曲線をシートの下端に対して斜め方向に設けた請求項１乃至４のいずれかに記載のホルダーを提供するものである。
本発明によれば、少ないディスク押え片によってディスクが落下しないように押えることができる。例えば、ディスク保持シートをシートの下端と側端で閉塞すると、一つのディスク押え片を下端に対して斜めに折り曲げることによって、容易にディスクの落下を防止することができる。
【００１１】
また、本発明は、前記折曲線の中央部にスリットを設けた請求項１乃至５のいずれかに記載のホルダーを提供するものである。
本発明によれば、スリットにディスクを挟んで固定することによって、収納時のディスクの移動を抑制することができ、ＣＤ・ＤＶＤ等のディスクの表面に傷をつき難くすることができる。
【００１２】
また、本発明は、前記ディスク押え片に円弧状又はコ字状の切込みで縁取られた係止片を設けた請求項１乃至６のいずれかに記載のホルダーを提供するものである。
本発明によれば、ＦＤやＭＯのようにサイズの小さいディスクを収納する場合に、係止片により収納時のディスクの移動を抑制することができる。
【００１３】
また、本発明は、前記シートに綴じ孔を設けた請求項１乃至７のいずれかに記載のホルダーを提供するものである。
本発明によれば、綴じ孔に紐、金具等の綴じ具を通して、複数のホルダーを束ねて保管することができる。
【００１４】
【発明の実施の形態】
本発明の実施の形態を図示する実施例に基づいて説明する。
本発明に係るホルダーは、二つ折りにしたシート１の下端であるシート下端４をシールしてなるホルダーであって、該ホルダーの内側にディスク保持シート２を設けると共に、該ディスク保持シート２にディスク押え片３を設けてある。
【００１５】
図示の実施例において、シート１は、ＰＰ（ポリプロピレン）、ＰＳ（ポリスチレン）、ＰＥＴ（ポリエチレンテレフタレート）等の透明な軟質の合成樹脂からなる。図３に示すように、シート１は長方形状をなし、長手方向の中央の折曲線６で二つ折りにし、表シート１５と裏シート１６のシート下端４，４をシール部１３でシールして図１に示すホルダーを形成している。
【００１６】
図３又は図２に示すように、ディスク保持シート２は、シート１の一方のシート側端５のシート下端４側に連設してあり、シート側端５と同一線上の折曲線７で表シート１５と裏シート１６の間に折り曲げて、ホルダーの内側にディスク保持シート２を設けることができるように構成してある。また、ディスク保持シート２は、ＣＤ・ＤＶＤ等のディスクより大きめに設けてあり、ＣＤ・ＤＶＤ等のディスクの記録面を保護するようにしてある。
また、ディスク保持シート２は、折曲線７側の上部をＣＤ又はＤＶＤの外周に沿って円弧状にカットしてある。
【００１７】
また、ディスク保持シート２の下端は、シート１のシール部１３より上方に設けると共に、一部に下方に突起した突起部１２を設けて、ディスク保持シート２の下端の一部をシート１のシート下端４と共にシールして固定することができるようにしてある。シール性を向上させることができるから、突起部１２はディスク保持シート２の下端の一部に設けることが好ましいが、ディスク保持シート２の下端全部をシート下端４と共にシールすることも可能である。
なお、ディスク保持シート２の動きを抑制することができるから、ディスク保持シート２の下端をシート下端４と共にシールすることが好ましいが、ディスク保持シート２の下端をシールしなくてもディスクの落下は防止できる。
【００１８】
ディスク押え片３は、図３において、ディスク保持シート１の右上にシート下端４に対して斜め方向に設けた折曲線８を介して連設してあり、折曲線８でディスク押え片３を折り曲げることによりディスクを押えることができるようにしてある。また、ディスク押え片３は、図４又は図５に示すように、折り曲げた状態でディスク押え片３の先端部がディスク保持シート２の上端部から突出するように構成してある。
図示の実施例では、折曲線８はＣＤ又はＤＶＤの外周の接する線より内側に設けると共に、折曲線８の中央部にはＣＤ又はＤＶＤの外周に沿って円弧状のスリット９を設けてある。これにより、図４に示すように、スリット９の両端部でＣＤ又はＤＶＤを固定することができる。なお、折曲線８をＣＤ又はＤＶＤの外周に接して設け、スリット９を設けない構成にすることも勿論可能である。
【００１９】
さらに、ディスク押え片３には、円弧状又はコ字状の切込み１０で縁取られた係止片１１を設けて、図５に示すように、３．５インチのＦＤ又はＭＯのように小さいディスクを収納する際に、係止片１１をディスクの上端部に引っ掛けてディスクを係止することができるように構成してある。
【００２０】
なお、ディスク保持シート２は、シート下端４を除くシート１の一端に連設し、このディスク保持シート２をシート端５でホルダーの内側に折り曲げた構成にすることもでき、又、シート１にシールして設けることも可能である。
【００２１】
次に、本発明に係るホルダーの作用について説明する。
図４は、ディスクとしてＣＤ又はＤＶＤを収納したときの使用状態を示す斜視図である。
図１に示すように、ディスク押え片３が上方に伸びた状態で、表側シート１５とディスク保持シート２の間にＣＤ１７を挿入する。
そして、ディスク押え片３を折曲線８からＣＤ１７の方に折り曲げることにより、ＣＤ１７は、シール部１３と折曲線７とスリット９により固定される。
一方、ＣＤを取り出すときは、ディスク押え片３の先端部がディスク保持シート２の上端部から突出しているから、ディスク押え片３の先端部を容易に押し上げることができ、ＣＤを取り出すことができる。
【００２２】
また、ディスクのインデックス・資料・説明書・パンフレット等の書類をディスクと一緒にホルダーに収納することができる。このとき、ホルダー内はディスク保持シート２により仕切られているから、書類をＣＤ１７の前後いずれにも収納することができる。書類をＣＤ１７の前側に収納した場合には、表シート１５を通して書類の全面を見ることができると共に、折曲線７により書類の落下を低減することができる。
【００２３】
また、図５はディスクとして３．５インチのＦＤ又はＭＯを収納したときの使用状態を示す斜視図である。
ＣＤのときと同様に、ディスク押え片３が上方に伸びた状態で、表側シート１５とディスク保持シート２の間にＦＤ１７を挿入する。
そして、ディスク押え片３を折曲線８からＦＤ１８の方に折り曲げる。
この状態でもＦＤ１８はシール部１３と折曲線７，８により落下しないように収納することができるが、更に、係止片１１をＦＤ１８の上端に係止させることにより、ＦＤ１８の上下方向の移動を抑制して収納することができる。
このように、本発明に係るホルダーは、収納するディスクとしてＣＤやＤＶＤとＦＤやＭＯに兼用することができる。
【００２４】
図６に示す実施例において、シート１の折曲線６側には、綴じ孔１４を設けてあり、ホルダーをバインダー等の綴じ具に綴じて保管することができるように構成してある。
なお、シート１は、図示の実施例のように透明な合成樹脂に限られず、半透明・不透明の合成樹脂や紙を使用することも可能である。
【００２５】
【発明の効果】
以上の通り、本発明に係るホルダーによれば、二つ折りにしたシートの下端をシールしてなるホルダーであって、該ホルダーの内側にディスク保持シートを設けると共に、該ディスク保持シートにディスク押え片を設けた構成を有することにより、ホルダーの内側にディスクを収納するから、ホルダーの外側両面が突出することがなく引っ掛からないと共に、ディスク保持シートとディスク押え片によってディスクが落下しないように収納することができる効果がある。
【００２６】
また、本発明は、前記ディスク保持シートを前記シートの下端を除く一端に連設し、このディスク保持シートをシート端でホルダーの内側に折り曲げた請求項１に記載の構成を有することにより、ディスク保持シートを前記シートに接着しないで設けることができるからホルダーの外側両面に接着による凹凸が生じないと共に、ディスク保持シートを折り曲げた部分とディスク押え片によってディスクを押えて収納することができる効果がある。
【００２７】
また、本発明は、前記ディスク保持シートに折曲線を介して前記ディスク押え片を連設した請求項１又は２に記載の構成を有することにより、折曲線でディスク押え片を折り曲げるというワンタッチ操作によりディスクを収納することができる効果がある。
【００２８】
また、本発明は、前記ディスク保持シートの下端の一部又は全部を前記シートの下端と共にシールした請求項１乃至３のいずれかに記載の構成を有することにより、ディスク保持シートを前記シートの下端に固定してホルダー内でのディスク保持シートの移動を防ぐことができ、ディスクの出し入れを容易且つスムースに行うことができると共に、前記シートの下端とディスク押え片によってディスクを押えて収納することができる効果がある。
【００２９】
また、本発明は、前記折曲線をシートの下端に対して斜め方向に設けた請求項１乃至４のいずれかに記載の構成を有することにより、少ないディスク押え片によってディスクが落下しないように押えることができる効果がある。
【００３０】
また、本発明は、前記折曲線の中央部にスリットを設けた請求項１乃至５のいずれかに記載の構成を有することにより、スリットにディスクを挟んで固定することによって、収納時のディスクの移動を抑制することができ、ＣＤ・ＤＶＤ等のディスクの表面に傷をつき難くすることができる効果がある。
【００３１】
また、本発明は、前記ディスク押え片に円弧状又はコ字状の切込みで縁取られた係止片を設けた請求項１乃至６のいずれかに記載の構成を有することにより、ＦＤやＭＯのようにサイズの小さいディスクを収納する場合に、係止片により収納時のディスクの移動を抑制することができる効果がある。
【００３２】
また、本発明は、前記シートに綴じ孔を設けた請求項１乃至７のいずれかに記載の構成を有することにより、綴じ孔に紐、金具等の綴じ具を通して、複数のホルダーを束ねて保管することができる効果がある。
【図面の簡単な説明】
【図１】本発明ホルダーの一実施例を示す正面図
【図２】その一実施例のＡ−Ａ線断面図
【図３】その一実施例の展開図
【図４】その一実施例の使用状態を示す斜視図
【図５】その一実施例の他の使用状態を示す斜視図
【図６】他の実施例を示す正面図
【符号の説明】
１  シート
２  ディスク保持シート
３  押え片
４  シート下端
５  シート側端
６，７，８  折曲線
９  スリット
１０  切込み
１１  係止片
１２  突起部
１３  シール部
１４  綴じ孔
１５  表シート
１６  裏シート
１７  ＣＤ
１８  ＦＤ
【図１】
2004168358.tif 000003
【図２】
2004168358.tif 000004
【図３】
2004168358.tif 000005
【図４】
2004168358.tif 000006
【図５】
2004168358.tif 000007
【図６】
2004168358.tif 000008